(57)【特許請求の範囲】
【請求項１】
画像形成装置と、前記画像形成装置に通信可能に接続されたサーバー装置とを備える印刷管理システムであって、
前記画像形成装置は、
ユーザーを識別するユーザー識別情報と、予め設定されたフォーマット画像と前記ユーザー識別情報を示すユーザー識別画像とを含む印刷用画像が形成されているフォーマット紙の印刷を要求する印刷要求と、記入済みの前記フォーマット紙である原稿の画像の読取りを要求する読取要求とを受け付ける受付部と、
前記印刷要求が受け付けられる度に、前記フォーマット紙を印刷する印刷部と、
前記読取要求が受け付けられる度に、前記原稿の画像を読み取り前記ユーザー識別情報を取得する読取部と、
前記印刷部によって印刷された印刷枚数を示す印刷枚数情報を前記ユーザー識別情報に対応付けて前記サーバー装置に送信し、前記読取部によって読み取られた読取枚数を示す読取枚数情報を前記ユーザー識別情報に対応付けて前記サーバー装置に送信する第１送信部と、
前記印刷枚数を前記ユーザー識別情報毎に累計した累計印刷枚数と、前記読取枚数を前記ユーザー識別情報毎に累計した累計読取枚数とを前記サーバー装置から受信する第１受信部と、
前記受付部が前記印刷要求又は前記読取要求を受け付けた場合に、前記第１受信部が受信した前記累計印刷枚数と前記累計読取枚数とに基づいて、前記フォーマット紙を印刷するか否かを判定する判定部と
を備え、
前記サーバー装置は、
前記画像形成装置から、前記印刷枚数情報と、前記読取枚数情報と、前記ユーザー識別情報とを受信する第２受信部と、
前記ユーザー識別情報に対応付けて、前記累計印刷枚数と前記累計読取枚数とを記憶する記憶部と、
前記印刷枚数及び前記ユーザー識別情報に基づき前記累計印刷枚数を求めると共に、前記読取枚数及び前記ユーザー識別情報に基づき前記累計読取枚数を求め、前記記憶部に前記累計印刷枚数及び前記累計読取枚数を書き込む集計部と、
前記累計印刷枚数と前記累計読取枚数とを前記画像形成装置に送信する第２送信部と
を備える、印刷管理システム。
【請求項２】
前記受付部は、前記印刷要求を受け付ける際に、前記フォーマット画像を識別するフォーマット識別情報を更に受け付け、
前記印刷部は、前記フォーマット識別情報を示すフォーマット識別画像を更に付加して前記印刷用画像を生成し、
前記第１送信部は、前記印刷枚数情報を前記フォーマット識別情報に更に対応付けて前記サーバー装置に送信し、
前記第２受信部は、前記印刷枚数情報及び前記フォーマット識別情報を受信し、
前記集計部は、前記フォーマット識別情報毎に、前記累計印刷枚数及び前記累計読取枚数を求める、請求項１に記載の印刷管理システム。
【請求項３】
前記記憶部は、前記ユーザー識別情報及び前記フォーマット識別情報に対応付けて予め設定された基準枚数を更に記憶し、
前記第２送信部は、前記基準枚数を示す基準枚数情報を前記画像形成装置に送信し、
前記第１受信部は、前記基準枚数情報を前記サーバー装置から受信し、
前記判定部は、前記累計印刷枚数から前記累計読取枚数を減じた残枚数が、前記基準枚数以上である場合に、前記フォーマット紙を印刷しないと判定する、請求項２に記載の印刷管理システム。
【請求項４】
前記集計部は、
前記ユーザー識別情報及び前記フォーマット識別情報毎に、前記読取部が前記原稿の画像を読み取った読取回数を求め、前記累計読取枚数を前記読取回数で除した平均読取枚数を求めて、前記ユーザー識別情報及び前記フォーマット識別情報に対応付けて、前記平均読取枚数を前記基準枚数として前記記憶部に書き込む、請求項３に記載の印刷管理システム。
【請求項５】
前記第１送信部は、前記読取部によって読み取られた読取画像を示す読取画像情報を前記ユーザー識別情報及び前記フォーマット識別情報に対応付けて前記サーバー装置に送信し、
前記第２受信部は、前記読取画像情報、前記ユーザー識別情報及び前記フォーマット識別情報を前記画像形成装置から受信し、
前記サーバー装置は、前記ユーザー識別情報及び前記フォーマット識別情報に前記読取画像情報を対応付けて前記記憶部に書き込む原稿画像記録部を更に備える、請求項２から請求項４のいずれか１項に記載の印刷管理システム。
【請求項６】
前記印刷部は、前記フォーマット紙のページ数を識別するページ識別情報を示すページ識別画像を更に付加して前記印刷用画像を生成し、
前記読取部は、前記読取画像に含まれる前記ページ識別画像から前記ページ識別情報を取得し、
前記第１送信部は、前記読取画像情報を前記ページ識別情報に更に対応付けて前記第２受信部に送信し、
前記原稿画像記録部は、前記ページ識別情報に更に対応付けて、前記読取画像情報を前記記憶部に書き込む、請求項５に記載の印刷管理システム。
【請求項７】
前記サーバー装置と通信可能に接続された端末装置を更に備え、
前記端末装置は、
前記ユーザー識別情報と前記フォーマット識別情報と画像要求情報とを前記サーバー装置に送信する第３送信部と、
前記画像要求情報に応じて前記サーバー装置から送信される前記読取画像情報を受信する第３受信部と、
受信した前記読取画像を表示する表示部と
を備え、
前記画像要求情報は、前記ユーザー識別情報と前記フォーマット識別情報とに対応する前記読取画像情報の要求を示し、
前記第２受信部は、前記ユーザー識別情報、前記フォーマット識別情報、及び、前記画像要求情報を受信し、
前記第２送信部は、前記ユーザー識別情報と前記フォーマット識別情報とに対応する前記読取画像情報を前記記憶部から読み出し、読み出した前記読取画像情報を前記端末装置に送信する、請求項５又は請求項６に記載の印刷管理システム。
【請求項８】
ユーザーを識別するユーザー識別情報と、予め設定されたフォーマット画像と前記ユーザー識別情報を示すユーザー識別画像とを含む印刷用画像が形成されているフォーマット紙の印刷を要求する印刷要求と、記入済みの前記フォーマット紙である原稿の画像の読取りを要求する読取要求とを受け付ける受付部と、
前記印刷要求が受け付けられる度に、前記フォーマット紙を印刷する印刷部と、
前記読取要求が受け付けられる度に、前記原稿の画像を読み取り前記ユーザー識別情報を取得する読取部と、
前記印刷部によって印刷された印刷枚数を示す印刷枚数情報を前記ユーザー識別情報に対応付けてサーバー装置に送信し、前記読取部によって読み取られた読取枚数を示す読取枚数情報を前記ユーザー識別情報に対応付けて前記サーバー装置に送信する第１送信部と、
前記印刷枚数を前記ユーザー識別情報毎に累計した累計印刷枚数と、前記読取枚数を前記ユーザー識別情報毎に累計した累計読取枚数とを前記サーバー装置から受信する第１受信部と、
前記受付部が前記印刷要求又は前記読取要求を受け付けた場合に、前記第１受信部が受信した前記累計印刷枚数と前記累計読取枚数とに基づいて、前記フォーマット紙を印刷するか否かを判定する判定部と
を備える、画像形成装置。
【発明の詳細な説明】
【技術分野】
【０００１】
本発明は、印刷管理システム及び画像形成装置に関する。
【背景技術】
【０００２】
会議の出席者に配布した資料を会場で回収して管理する配布資料管理システムが知られている。このような配布資料管理システムが特許文献１に開示されている。特許文献１に記載の配布資料管理システムは、配布した資料の識別情報と、回収した資料から読み取った識別情報とを比較し、資料の返却状態を検出する。特許文献１には、資料の返却状態をページ毎に管理することによって、機密情報が記載された資料を出席者が持ち帰ることを制限することができる、と記載されている。
【先行技術文献】
【特許文献】
【０００３】
【特許文献１】特開２０１０−２２４６７４号公報
【発明の概要】
【発明が解決しようとする課題】
【０００４】
ところで、近年、学校の授業でユーザーが使用するノート用紙（フォーマット紙）を電子化して管理することが要望されている。未記入及び記入済みのノート用紙が電子化されている場合に、例えば、ユーザーは、授業に使用する未記入のノート用紙をプリンターから出力して入手する必要がある。
【０００５】
しかしながら、特許文献１に記載の配布資料管理システムのような従来のシステムでは、ユーザーの手元に残っている未記入のノート用紙の枚数に応じて、新たにノート用紙を印刷する必要があるか否かを判定することが困難であった。その結果、ノート用紙が余分に印刷される恐れがあった。
【０００６】
本発明は上記課題に鑑みてなされたものであり、フォーマット紙を余分に印刷することを抑制することができる印刷管理システム及び画像形成装置を提供することを目的とする。
【課題を解決するための手段】
【０００７】
本発明に係る印刷管理システムは、画像形成装置と、サーバー装置とを備える。前記サーバー装置は、前記画像形成装置に通信可能に接続されている。前記画像形成装置は、受付部と、印刷部と、読取部と、第１送信部と、第１受信部と、判定部とを備える。前記受付部は、ユーザーを識別するユーザー識別情報と、予め設定されたフォーマット画像と前記ユーザー識別情報を示すユーザー識別画像とを含む印刷用画像が形成されているフォーマット紙の印刷を要求する印刷要求と、記入済みの前記フォーマット紙である原稿の画像の読取りを要求する読取要求とを受け付ける。前記印刷部は、前記印刷要求が受け付けられる度に、前記フォーマット紙を印刷する。前記読取部は、前記読取要求が受け付けられる度に、前記原稿の画像を読み取り前記ユーザー識別情報を取得する。前記第１送信部は、前記印刷部によって印刷された印刷枚数を示す印刷枚数情報を前記ユーザー識別情報に対応付けて前記サーバー装置に送信し、前記読取部によって読み取られた読取枚数を示す読取枚数情報を前記ユーザー識別情報に対応付けて前記サーバー装置に送信する。前記第１受信部は、前記印刷枚数を前記ユーザー識別情報毎に累計した累計印刷枚数と、前記読取枚数を前記ユーザー識別情報毎に累計した累計読取枚数とを前記サーバー装置から受信する。前記判定部は、前記受付部が前記印刷要求又は前記読取要求を受け付けた場合に、前記第１受信部が受信した前記累計印刷枚数と前記累計読取枚数とに基づいて、前記フォーマット紙を印刷するか否かを判定する。前記サーバー装置は、第２受信部と、記憶部と、集計部と、第２送信部とを備える。前記第２受信部は、前記画像形成装置から、前記印刷枚数情報と、前記読取枚数情報と、前記ユーザー識別情報とを受信する。前記記憶部は、前記ユーザー識別情報に対応付けて、前記累計印刷枚数と前記累計読取枚数とを記憶する。前記集計部は、前記印刷枚数及び前記ユーザー識別情報に基づき前記累計印刷枚数を求めると共に、前記読取枚数及び前記ユーザー識別情報に基づき前記累計読取枚数を求め、前記記憶部に前記累計印刷枚数及び前記累計読取枚数を書き込む。前記第２送信部は、前記累計印刷枚数と前記累計読取枚数とを前記画像形成装置に送信する。
【０００８】
本発明に係る画像形成装置は、受付部と、印刷部と、読取部と、第１送信部と、第１受信部と、判定部とを備える。前記受付部は、ユーザーを識別するユーザー識別情報と、予め設定されたフォーマット画像と前記ユーザー識別情報を示すユーザー識別画像とを含む印刷用画像が形成されているフォーマット紙の印刷を要求する印刷要求と、記入済みの前記フォーマット紙である原稿の画像の読取りを要求する読取要求とを受け付ける。前記印刷部は、前記印刷要求が受け付けられる度に、前記フォーマット紙を印刷する。前記読取部は、前記読取要求が受け付けられる度に、前記原稿の画像を読み取り前記ユーザー識別情報を取得する。前記第１送信部は、前記印刷部によって印刷された印刷枚数を示す印刷枚数情報を前記ユーザー識別情報に対応付けてサーバー装置に送信し、前記読取部によって読み取られた読取枚数を示す読取枚数情報を前記ユーザー識別情報に対応付けて前記サーバー装置に送信する。前記第１受信部は、前記印刷枚数を前記ユーザー識別情報毎に累計した累計印刷枚数と、前記読取枚数を前記ユーザー識別情報毎に累計した累計読取枚数とを前記サーバー装置から受信する。前記判定部は、前記受付部が前記印刷要求又は前記読取要求を受け付けた場合に、前記第１受信部が受信した前記累計印刷枚数と前記累計読取枚数とに基づいて、前記フォーマット紙を印刷するか否かを判定する。
【発明の効果】
【０００９】
本発明によれば、フォーマット紙を余分に印刷することを抑制することができる。
【図面の簡単な説明】
【００１０】
【図１】本発明の実施形態に係る印刷管理システムの全体構成を示す図である。
【図２】図１に示す画像形成装置を示す側面図である。
【図３】（ａ）及び（ｂ）は、図１に示す印刷管理システムで使用されるフォーマット紙の一例を示す図である。
【図４】図１に示す印刷管理システムの構成を示すブロック図である。
【図５】図１に示す画像形成装置の印刷管理処理を示すフローチャートである。
【図６】図１に示すサーバー装置の印刷管理処理を示すフローチャートである。
【図７】図１に示す画像形成装置の印刷管理処理を示すフローチャートである。
【図８】図１に示すサーバー装置の印刷管理処理を示すフローチャートである。
【図９】図１に示すタブレットＰＣの画像閲覧処理を示すフローチャートである。
【図１０】図１に示すサーバー装置の画像閲覧処理を示すフローチャートである。
【発明を実施するための形態】
【００１１】
以下、本発明の実施形態について、図面を参照しながら説明する。なお、図中、同一又は相当部分については同一の参照符号を付して説明を繰り返さない。
【００１２】
図１を参照して、本実施形態に係る印刷管理システム１について説明する。図１は、印刷管理システム１の全体構成を示す図である。印刷管理システム１は、画像形成装置１００と、画像形成装置１００と通信可能なサーバー装置２００と、サーバー装置２００と通信可能なタブレットＰＣ（Ｐｅｒｓｏｎａｌ  Ｃｏｍｐｕｔｅｒ）３００（端末装置）とを備える。
【００１３】
具体的には、複数の画像形成装置１００、一台のサーバー装置２００、及び複数のタブレットＰＣ３００は、ネットワークを介して互いに通信可能に接続されている。例えば、各装置は、インターネット、ＬＡＮ（Ｌｏｃａｌ  Ａｒｅａ  Ｎｅｔｗｏｒｋ）、又は、ＷＡＮ（Ｗｉｄｅ  Ａｒｅａ  Ｎｅｔｗｏｒｋ）を介して通信可能に接続される。本実施形態は、ネットワークの一例としてインターネットを用いる場合について説明する。画像形成装置１００は、ユーザーの操作に応じて、フォーマット紙Ｆを出力し、又は、フォーマット紙Ｆの画像を読み取る。また、画像形成装置１００は、インターネットを介して、サーバー装置２００との間で通信を行う。フォーマット紙Ｆの詳細については、図３を参照して後述する。タブレットＰＣ３００は、「端末装置」の一例であり、無線通信でインターネットに接続される。また、タブレットＰＣ３００は、インターネットを介して、サーバー装置２００との間で通信を行う。
【００１４】
次に、図２を参照して画像形成装置１００の一例について説明する。図２は、画像形成装置１００を示す側面図である。画像形成装置１００は、例えば、複写機、又は複合機である。画像形成装置１００は、第１制御部１０、画像読取部１１０、給送部１２０、シート搬送部１３０、画像形成部１４０、定着部１５０、及び排出部１６０を備える。
【００１５】
第１制御部１０は、画像読取部１１０、給送部１２０、シート搬送部１３０、画像形成部１４０、定着部１５０、及び排出部１６０を制御する。第１制御部１０の構成については、図４を参照して後述する。
【００１６】
画像読取部１１０は、原稿Ｈの画像を読み取る。原稿Ｈは、文字又は図形のような書込みのあるフォーマット紙Ｆである。画像読取部１１０は、例えば、原稿搬送機能を備えたスキャナーである。給送部１２０は、シートＳを収容する複数のカセット１２１を含み、カセット１２１に収容されたシートＳを１枚ずつシート搬送部１３０へ給送する。シートＳは、例えば、紙である。
【００１７】
シート搬送部１３０は、画像形成部１４０に向けてシートＳを搬送する。画像形成部１４０は、電子写真プロセスによって、シートＳにトナー像（画像）を形成する。具体的には、画像形成部１４０は、回転可能に支持された感光体ドラム１４１を備える。また画像形成部１４０は、感光体ドラム１４１の周囲に、帯電部１４２、露光部１４３、現像部１４４、転写部１４５、クリーニング部１４６、及び除電部１４７を備えている。帯電部１４２及び露光部１４３によって、感光体ドラム１４１に静電潜像が形成され、現像部１４４によって静電潜像が現像されてトナー像が形成され、転写部１４５によってトナー像がシートＳに転写される。また、トナー像の転写後に、クリーニング部１４６によって感光体ドラム１４１の残留トナーが清掃され、除電部１４７によって感光体ドラム１４１が除電される。
【００１８】
トナー像が転写されたシートＳは、定着部１５０に向けて搬送される。定着部１５０は、シートＳを加熱及び加圧し、シートＳに転写されたトナー像をシートＳに定着させる。そして、トナー像が定着されたシートＳは、排出部１６０が備える排出ローラー対１６１によって排出トレイ１６２上に排出される。このようにしてシートＳにトナー像が定着されて、例えば、フォーマット紙Ｆが印刷される。
【００１９】
続いて、図３を参照して、フォーマット紙Ｆの詳細について説明する。図３（ａ）及び図３（ｂ）は、フォーマット紙Ｆの一例を示す図である。図３（ａ）は、フォーマット紙Ｆの一例であるノート用紙Ｆ１を示す。ノート用紙Ｆ１は、例えば、小学校高学年の生徒（ユーザー）が授業で使用するノートブックの片面用紙１ページに相当する。
【００２０】
ノート用紙Ｆ１の表面には、画像形成装置１００の定着部１５０が定着させたトナー像、すなわち、印刷用画像Ｇ１が形成されている。印刷用画像Ｇ１は、フォーマット画像ＧＦ１、ユーザー識別画像ＧＵ、フォーマット識別画像ＧＤＦ、及びページ識別画像ＧＰを含む。以下、「印刷用画像Ｇ１のみが形成されているノート用紙Ｆ１」を単に「ノート用紙Ｆ１」と記載する。
【００２１】
フォーマット画像ＧＦ１は、予め設定されたフォーマットを示す画像である。フォーマットは、例えば、授業の科目（例えば、算数又は国語）に応じて設定される。図３（ａ）に示すノート用紙Ｆ１のフォーマットは、算数用であり、複数の横線で構成された罫線を有している。また、フォーマットが国語用である実施形態では、フォーマットは、複数の縦線で構成された罫線を有する。
【００２２】
ユーザー識別画像ＧＵは、複数のユーザーをそれぞれ識別するユーザー識別情報を示す画像である。ユーザー識別画像ＧＵは、例えば、ユーザーＩＤである。ユーザー識別画像ＧＵは、氏名、又はＱＲコード（登録商標）でもよい。フォーマット識別画像ＧＤＦは、複数のフォーマットをそれぞれ識別するフォーマット識別情報を示す画像である。フォーマット識別画像ＧＤＦは、例えば、フォーマットの名称又はフォーマットＩＤである。ページ識別画像ＧＰは、ノート用紙Ｆ１のページを識別するページ識別情報を示す画像である。ページ識別画像ＧＰは、例えば、ページ番号である。
【００２３】
また、フォーマット紙Ｆは、ノート用紙Ｆ１に限定されず、例えば、自由研究レポート用紙、又は、日記用紙であってもよい。ユーザーが社会人である場合には、フォーマット紙Ｆは、例えば、業務報告用紙であってもよい。ユーザーと用途とに応じて、多様なフォーマット紙Ｆを選択することができる。図３（ｂ）は、フォーマット紙Ｆの一例である自由研究レポート用紙Ｆ２を示す。自由研究レポート用紙Ｆ２の表面には、印刷用画像Ｇ２が形成されている。印刷用画像Ｇ２は、フォーマット画像ＧＦ２、ユーザー識別画像ＧＵ、フォーマット識別画像ＧＤＦ、及びページ識別画像ＧＰを含む。フォーマット画像ＧＦ２が示すフォーマットは、例えば、「自由研究テーマ」、「テーマを選んだ理由」、「実験の目的」、「材料」、「所属クラス」、及び「名前」の記入欄を有する。なお、本実施形態では、一例として、ユーザーが小学校高学年の生徒であり、フォーマット紙Ｆがノート用紙Ｆ１である場合について説明する。
【００２４】
続いて、図２〜図４を参照して、画像形成装置１００、サーバー装置２００、及びタブレットＰＣ３００の構成について説明する。図４は、印刷管理システム１の構成を示すブロック図である。
【００２５】
画像形成装置１００の第１制御部１０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＨＤＤ（Ｈａｒｄ  Ｄｉｓｋ  Ｄｒｉｖｅ）を備える。第１制御部１０は、ＣＰＵが、ＲＯＭ又はＨＤＤに格納された制御プログラムを実行することによって動作する。また、ＲＡＭは、ＣＰＵが制御プログラムを実行する際の作業領域として用いられる。第１制御部１０は、受付部２０、印刷部３０、読取部４０、第１送信部５０、第１受信部６０、判定部７０、及び第１記憶部８０を含む。
【００２６】
受付部２０は、ユーザー識別情報と、フォーマット識別情報と、ノート用紙Ｆ１の印刷を要求する印刷要求とを受け付ける。具体的には、受付部２０は、ユーザー識別情報のような各種情報、及び印刷要求のような各種要求を受け付けるように、不図示の入力部を制御する。入力部としては、例えば、タッチパネル又は各種ボタンが用いられる。生徒は、タッチパネルでユーザー識別情報を入力して印刷管理システム１にログインし、各種要求に応じた操作を実行する。
【００２７】
印刷要求は、ノート用紙Ｆ１を印刷するように、生徒が画像形成装置１００に対して要求する指示である。印刷要求は、ノート用紙Ｆ１の印刷枚数を指定する指示を含む。第１送信部５０は、受付部２０が受け付けたユーザー識別情報とフォーマット識別情報と印刷要求とをサーバー装置２００に送信する。受付部２０は、判定部７０に印刷要求を受け付けたことを通知する。
【００２８】
また、受付部２０は、ノート用紙Ｆ１の基準枚数ＮＡを受け付ける。基準枚数ＮＡは、ノート用紙Ｆ１が出力される枚数を決定する閾値である。基準枚数ＮＡは、ユーザー識別情報及びフォーマット識別情報に対応付けられている。具体的には、基準枚数ＮＡは、各生徒に対して科目毎に設定された、手元に所持するノート用紙Ｆ１の残枚数ΔＮの上限値である。ユーザー（例えば、教師）は、予め画像形成装置１００のタッチパネルを操作して基準枚数ＮＡを設定する。例えば、教師は、算数科目のノート用紙Ｆ１の基準枚数ＮＡを各生徒に対して一律で「１０枚」と設定する。なお、教師は、各生徒が教科毎に１回の授業で使用するノート用紙Ｆ１の平均枚数を基準枚数ＮＡとして設定することもできる。第１送信部５０は、入力された基準枚数ＮＡをサーバー装置２００に送信する。
【００２９】
また、受付部２０は、ノート用紙Ｆ１の補正枚数ＮＳを受け付ける。補正枚数ＮＳは、ノート用紙Ｆ１が出力される枚数を補正する値である。補正枚数ＮＳは、ユーザー識別情報及びフォーマット識別情報に対応付けられている。教師又は生徒は、ノート用紙Ｆ１が出力される枚数を補正する必要がある場合に、予め画像形成装置１００のタッチパネルを操作して補正枚数ＮＳを設定する。例えば、生徒の手持ちのノート用紙Ｆ１の残枚数に３枚分の余裕を持たせたい場合に、教師は補正枚数ＮＳの値として「−３」を予めタッチパネルで入力する。第１送信部５０は、入力された補正枚数ＮＳをサーバー装置２００に送信する。
【００３０】
また、受付部２０は、読取要求を受け付ける。読取要求は、原稿Ｈの画像を読み取るように、生徒が画像形成装置１００に対して要求する指示である。原稿Ｈは、記入済みのフォーマット紙Ｆである。記入済みのフォーマット紙Ｆは、例えば、生徒が授業を受けた後、板書等の文字及び図形の少なくとも一方が書き込まれたノート用紙Ｆ１である。
【００３１】
印刷部３０は、印刷要求が受け付けられる度に、予め設定されたフォーマット画像ＧＦ１にユーザー識別画像ＧＵとフォーマット識別画像ＧＤＦとページ識別画像ＧＰとを付加して、印刷用画像Ｇ１を生成する。印刷部３０は、シートＳに印刷用画像Ｇ１を形成してノート用紙Ｆ１を印刷する。
【００３２】
具体的には、印刷部３０は、判定部７０から通知された印刷指示に基づいて、指定されたフォーマット及び印刷枚数のノート用紙Ｆ１を印刷して出力するように、給送部１２０、シート搬送部１３０、画像形成部１４０、定着部１５０、及び排出部１６０を制御する。フォーマット画像ＧＦ１を含む複数のフォーマット画像は、第１記憶部８０に予め記憶されている。印刷部３０は、図３に示すユーザー識別画像ＧＵと、フォーマット識別画像ＧＤＦと、ページ識別画像ＧＰとを、フォーマット画像ＧＦ１に付加して印刷用画像Ｇ１を生成する。生徒は、印刷されたノート用紙Ｆ１を排出トレイ１６２から取り出して所定の授業を受け、板書等の文字及び図形をノート用紙Ｆ１に書き込む。
【００３３】
読取部４０は、読取要求が受け付けられる度に、原稿Ｈの画像を読み取る。具体的には、受付部２０は、生徒の操作に応じて読取要求を受け付け、読取部４０に通知する。読取部４０は、読取要求に基づいて、原稿Ｈの画像を読み取るように画像読取部１１０を制御し、原稿Ｈの画像に対応した読取画像情報を取得する。読取部４０は、読み取った原稿Ｈの画像に含まれるユーザー識別画像ＧＵ、フォーマット識別画像ＧＤＦ、及びページ識別画像ＧＰから、対応するユーザー識別情報、フォーマット識別情報、及びページ識別情報を取得する。
【００３４】
第１送信部５０は、印刷部３０がノート用紙Ｆ１を印刷したときに、ユーザー識別情報とフォーマット識別情報とに印刷枚数情報を対応付けてサーバー装置２００に送信する。印刷枚数情報は、印刷要求に基づいて、印刷部３０がノート用紙Ｆ１を印刷した印刷枚数を示す。
【００３５】
また、第１送信部５０は、読取部４０が原稿Ｈの画像を読み取ったときに、読取画像情報及び読取枚数情報を、ユーザー識別情報、フォーマット識別情報、及びページ識別情報に対応付けてサーバー装置２００に送信する。読取枚数情報は、読取要求に基づいて、読取部４０が原稿Ｈの画像を読み取った読取枚数を示す。
【００３６】
第１受信部６０は、累計印刷枚数情報、累計読取枚数情報、基準枚数情報、及び補正枚数情報をサーバー装置２００から受信し、判定部７０に通知する。累計印刷枚数ＮＰは、ノート用紙Ｆ１の印刷枚数をユーザー識別情報及びフォーマット識別情報毎に累計して求められる。累計読取枚数ＮＲは、原稿Ｈの読取枚数をユーザー識別情報及びフォーマット識別情報毎に累計して求められる。
【００３７】
判定部７０は、受付部２０が印刷要求を受け付けた場合に、第１受信部６０が受信した累計印刷枚数ＮＰと累計読取枚数ＮＲとに基づいて、ノート用紙Ｆ１を印刷するか否かを判定する。判定の結果、累計印刷枚数ＮＰから累計読取枚数ＮＲを減じた残枚数が基準枚数ＮＡ以上である場合に、判定部７０は、ノート用紙Ｆ１を印刷しないと判定する。
【００３８】
具体的には、判定部７０は、受付部２０から通知された印刷要求と、第１受信部６０から通知された累計印刷枚数ＮＰ、累計読取枚数ＮＲ、基準枚数ＮＡ、及び補正枚数ＮＳとに基づいて判定する。判定部７０は、下記式（１）を用いて印刷要否を判定する。
累計印刷枚数ＮＰ−累計読取枚数ＮＲ＋補正枚数ＮＳ≧基準枚数ＮＡ（１）
式（１）を満たすとき、判定部７０は、ノート用紙Ｆ１を印刷しないと判定する。また、判定部７０は、ノート用紙Ｆ１を印刷しないと判定した場合に、不図示の表示部にメッセージを表示させ、印刷を禁止する。表示部としては、例えば、ディスプレーが用いられる。具体的には、判定部７０は、次回の授業に必要なノート用紙Ｆ１の枚数に対して、手持ちのノート用紙Ｆ１の残枚数ΔＮが足りていることを示すメッセージを画像形成装置１００のタッチパネルに表示させる。
【００３９】
一方、式（１）を満たさないとき、判定部７０は、ノート用紙Ｆ１を印刷すると判定する。式（１）を満たさないときには、次回の授業に必要なノート用紙Ｆ１の枚数に対して手持ちのノート用紙Ｆ１の残枚数ΔＮが不足しているからである。判定部７０は、ノート用紙Ｆ１を印刷すると判定した場合に、印刷部３０に印刷指示を通知する。
【００４０】
判定部７０は、受付部２０が読取要求を受け付けた場合にも、上述と同様、第１受信部６０が受信した累計印刷枚数ＮＰと累計読取枚数ＮＲとに基づいて、ノート用紙Ｆ１を印刷するか否かを判定する。具体的には、判定部７０は、読取部４０が読取画像情報を取得した後に、第１受信部６０から通知された累計印刷枚数ＮＰ、累計読取枚数ＮＲ、基準枚数ＮＡ、及び補正枚数ＮＳに基づいて判定する。判定部７０は、式（１）を用いて印刷要否を判定する。判定部７０は、ノート用紙Ｆ１を印刷すると判定した場合に、不図示の表示部に手持ちのノート用紙Ｆ１の残枚数ΔＮが不足していることを表示させる。
【００４１】
第１記憶部８０には、複数のフォーマット画像に対応するフォーマット画像データが予め記憶されている。
【００４２】
引き続き、図４を参照して、サーバー装置２００の構成について説明する。サーバー装置２００の第２制御部２１０は、ＣＰＵ、ＲＯＭ、ＲＡＭ、及び、ＨＤＤを備える。第２制御部２１０は、ＣＰＵが、ＲＯＭ又はＨＤＤに格納された制御プログラムを実行することによって動作する。また、ＲＡＭは、ＣＰＵが制御プログラムを実行する際の作業領域として用いられる。第２制御部２１０は、第２受信部２２０、原稿画像記録部２３０、集計部２４０、第２送信部２５０、及び記憶部（以下、「第２記憶部」と記載する。）２６０を含む。
【００４３】
第２受信部２２０は、ユーザー識別情報とフォーマット識別情報と印刷要求とを受信する。具体的には、生徒がノート用紙Ｆ１の印刷要求を実行すると、第２受信部２２０は、画像形成装置１００の第１送信部５０からユーザー識別情報とフォーマット識別情報と印刷要求情報とを含む印刷指示情報を受信する。第２受信部２２０は、受信した印刷指示情報を集計部２４０に通知する。
【００４４】
また、第２受信部２２０は、印刷枚数情報、ユーザー識別情報、及びフォーマット識別情報を受信する。具体的には、画像形成装置１００が印刷要求に応じてノート用紙Ｆ１を印刷すると、第２受信部２２０は、画像形成装置１００の第１送信部５０から送信された印刷枚数情報、ユーザー識別情報、及びフォーマット識別情報を受信し、集計部２４０に通知する。
【００４５】
また、第２受信部２２０は、読取枚数情報及びユーザー識別情報を受信する。具体的には、画像形成装置１００が読取要求に応じてノート用紙Ｆ１の画像を読みとると、第２受信部２２０は、第１送信部５０から送信された読取画像情報、読取枚数情報、ユーザー識別情報、フォーマット識別情報、及びページ識別情報を集計部２４０に通知する。
【００４６】
また、第２受信部２２０は、読取画像情報、ユーザー識別情報、及びフォーマット識別情報を画像形成装置１００から受信する。具体的には、第２受信部２２０は、第１送信部５０から送信された読取画像情報、ユーザー識別情報、及びフォーマット識別情報を受信し、原稿画像記録部２３０に通知する。
【００４７】
また、第２受信部２２０は、ユーザー識別情報、フォーマット識別情報、及び、画像要求情報をタブレットＰＣ３００から受信する。画像要求情報は、ユーザー識別情報及びフォーマット識別情報に対応する読取画像情報の送信を要求する指示である。
【００４８】
原稿画像記録部２３０は、ユーザー識別情報、フォーマット識別情報、及びページ識別情報に読取画像情報を対応付けて第２記憶部２６０に書き込む。具体的には、原稿画像記録部２３０は、第２受信部２２０から通知された読取画像情報、ユーザー識別情報、フォーマット識別情報、及びページ識別情報に基づいて、対応する読取画像情報が既に第２記憶部２６０に記憶されているか否かを検索する。対応する読取画像情報が第２記憶部２６０に記憶されていない場合、原稿画像記録部２３０は、ユーザー識別情報及びフォーマット識別情報に対応付けて第２記憶部２６０に新規に読取画像情報を書き込み、書込み結果を集計部２４０に通知する。対応する読取画像情報が第２記憶部２６０に既に記憶されている場合、集計部２４０は、対応する読取画像情報に上書きして読取画像情報を書き込む。
【００４９】
集計部２４０は、印刷枚数情報、ユーザー識別情報、及びフォーマット識別情報に基づき累計印刷枚数ＮＰを求め、第２記憶部２６０に累計印刷枚数ＮＰを書き込む。具体的には、集計部２４０は、第２受信部２２０から通知された印刷枚数情報、ユーザー識別情報、及びフォーマット識別情報に基づいて、生徒及び科目毎にノート用紙Ｆ１の累計印刷枚数ＮＰを求め、第２記憶部２６０に累計印刷枚数ＮＰを書き込む。
【００５０】
また、集計部２４０は、読取枚数情報、ユーザー識別情報、及びフォーマット識別情報に基づき累計読取枚数ＮＲを求め、第２記憶部２６０に累計読取枚数ＮＲを書き込む。具体的には、集計部２４０は、読取画像情報を第２記憶部２６０に新規に書き込んだ結果を示す通知を原稿画像記録部２３０から受け付ける。また、集計部２４０は、第２受信部２２０から通知された読取画像情報、読取枚数情報、ユーザー識別情報、フォーマット識別情報、及びページ識別情報に基づいて、生徒及び科目毎にノート用紙Ｆ１の累計読取枚数ＮＲを求める。集計部２４０は、求めた累計読取枚数ＮＲを第２記憶部２６０に書き込む。
【００５１】
また、集計部２４０は、読取枚数情報、ユーザー識別情報及びフォーマット識別情報に基づき、ユーザー識別情報及びフォーマット識別情報毎に、読取部４０が原稿Ｈの画像を読み取った読取回数ＮＥを求める。集計部２４０は、ユーザー識別情報及びフォーマット識別情報に対応付けて、読取回数ＮＥを第２記憶部２６０に書き込む。集計部２４０は、ユーザー識別情報及びフォーマット識別情報毎に、累計読取枚数ＮＲを読取回数ＮＥで除した平均読取枚数ＮＶを求める。集計部２４０は、ユーザー識別情報及びフォーマット識別情報毎に、平均読取枚数ＮＶを第２記憶部２６０に書き込む。教師が画像形成装置１００の入力部を介して平均読取枚数ＮＶを基準枚数ＮＡとして設定すると、集計部２４０は、平均読取枚数ＮＶを基準枚数ＮＡとして第２記憶部２６０に書き込む。
【００５２】
また、集計部２４０は、タブレットＰＣ３００から送信された画像要求情報に基づいて、ユーザー識別情報及びフォーマット識別情報に対応する読取画像情報を第２記憶部２６０から読み出す。
【００５３】
第２送信部２５０は、集計部２４０が求めた累計印刷枚数ＮＰと累計読取枚数ＮＲとを画像形成装置１００に送信する。また、第２送信部２５０は、印刷要求又は読取要求に応じて、基準枚数ＮＡを示す情報を画像形成装置１００に送信する。
【００５４】
また、第２送信部２５０は、タブレットＰＣ３００から送信された画像要求情報に基づいて、集計部２４０が読み出した読取画像情報をタブレットＰＣ３００に送信する。
【００５５】
第２記憶部２６０には、ユーザー識別情報、フォーマット識別情報、及びページ識別情報に対応付けて、読取画像情報が記憶されている。また、第２記憶部２６０には、ユーザー識別情報、及びフォーマット識別情報に対応付けて、累計印刷枚数ＮＰ、累計読取枚数ＮＲ、補正枚数ＮＳ、平均読取枚数ＮＶ、及び読取回数ＮＥが記憶されている。また、第２記憶部２６０には、ユーザー識別情報及びフォーマット識別情報の少なくとも一方に対応付けて、基準枚数ＮＡが記憶されている。
【００５６】
引き続き、図４を参照して、本実施形態に係る端末装置の構成について説明する。端末装置は、例えば、タブレットＰＣ、パーソナルコンピューター、及びスマートフォンである。本実施形態では、端末装置がタブレットＰＣ３００である場合について説明する。生徒及び教師の各々は、タブレットＰＣ３００を所有する。タブレットＰＣ３００の第３制御部３１０は、ＣＰＵ、ＲＯＭ、及びＲＡＭを備える。タブレットＰＣ３００は、ＣＰＵが、ＲＯＭに格納された制御プログラムを実行することによって動作する。また、ＲＡＭは、ＣＰＵが制御プログラムを実行する際の作業領域として用いられる。第３制御部３１０は、第３送信部３２０、第３受信部３３０、表示部３４０、及び第３記憶部３５０を含む。
【００５７】
第３送信部３２０は、ユーザーによって入力されたユーザー識別情報、フォーマット識別情報、及び画像要求情報をサーバー装置２００に送信する。画像要求情報は、ユーザー識別情報とフォーマット識別情報とに対応する読取画像情報の要求を示す。例えば、生徒は、タブレットＰＣ３００を介して、自分の算数科目の原稿Ｈに対応する読取画像情報をサーバー装置２００に要求する。また、教師がタブレットＰＣ３００を介して、サーバー装置２００に読取画像情報を要求することもできる。
【００５８】
第３受信部３３０は、画像要求情報に応じてサーバー装置２００から送信される読取画像情報を受信する。第３受信部３３０は、第３記憶部３５０に読取画像情報を記憶させる。
【００５９】
表示部３４０は、受信した読取画像情報に対応する読取画像を表示する。表示部３４０としては、例えば、タッチパネルが用いられる。タッチパネルは、不図示の入力部としての機能を兼ねる。生徒又は教師は、タッチパネルを操作することによって、読取画像情報を要求する指示を入力する。
【００６０】
第３記憶部３５０には、サーバー装置２００から送信された読取画像情報が記憶される。
【００６１】
続いて、図４及び図５を参照して、印刷管理処理について説明する。ここで説明する印刷管理処理は、生徒がノート用紙Ｆ１の印刷を要求する際に、画像形成装置１００が行う処理である。図５は、図１に示す画像形成装置１００の印刷管理処理を示すフローチャートである。
【００６２】
ステップＳ１０１において、受付部２０は、ユーザーＩＤの入力を受け付ける。具体的には、生徒は、画像形成装置１００のタッチパネルでユーザー識別情報（例えば、ユーザーＩＤ）を入力して印刷管理システム１にログインする。処理は、ステップＳ１１１に進む。
【００６３】
次に、ステップＳ１１１において、生徒は、ノート用紙Ｆ１の科目及び枚数を指定する。具体的には、生徒は、画像形成装置１００のタッチパネルに表示されたノート用紙Ｆ１のフォーマットの一覧の中から、所望の科目（例えば、算数）に対応するフォーマットを指定する。さらに、生徒は、出力したいノート用紙Ｆ１の枚数をタッチパネルで指定する。処理は、ステップＳ１１３に進む。
【００６４】
次に、ステップＳ１１３において、受付部２０は、ノート用紙Ｆ１の印刷指示を受け付ける。具体的には、生徒は、タッチパネルの「印刷開始」ボタンをタッチすることによって、ノート用紙Ｆ１の印刷指示を入力する。受付部２０は、ユーザー識別情報に対応付けて、印刷指示と、指定されたフォーマットを示すフォーマット識別情報と、指定された印刷枚数とを受け付ける。処理は、ステップＳ１１５に進む。
【００６５】
次に、ステップＳ１１５において、第１送信部５０は、印刷指示を送信する。具体的には、第１送信部５０は、受付部２０が受け付けた印刷指示をサーバー装置２００に送信する。処理は、ステップＳ１１７に進む。
【００６６】
次に、ステップＳ１１７において、第１受信部６０は、累計印刷枚数ＮＰ、累計読取枚数ＮＲ、基準枚数ＮＡ、及び補正枚数ＮＳを取得する。具体的には、第１受信部６０は、サーバー装置２００から送信された累計印刷枚数ＮＰ、累計読取枚数ＮＲ、基準枚数ＮＡ、及び補正枚数ＮＳを受信し、判定部７０に通知する。処理は、ステップＳ１１９に進む。
【００６７】
次に、ステップＳ１１９において、式（１）を満たす場合（ステップＳ１１９でＹＥＳ）、処理はステップＳ１２１に進む。具体的には、判定部７０は、式（１）を満たす場合、次回の授業に必要なノート用紙Ｆ１の枚数に対して手持ちのノート用紙Ｆ１の残枚数ΔＮは足りているため、ノート用紙Ｆ１を印刷しないと判定する。その後、処理はステップＳ１２１に進む。一方、式（１）を満たさない場合（ステップＳ１１９でＮＯ）。処理は、ステップＳ１２５に進む。具体的には、判定部７０は、上記（１）式を満たさない場合、次回の授業に必要なノート用紙Ｆ１の枚数に対して手持ちのノート用紙Ｆ１の残枚数ΔＮが不足しているため、ノート用紙Ｆ１を印刷すると判定する。その後、処理はステップＳ１２５に進む。
【００６８】
上述したステップＳ１１９で「ＹＥＳ」に分岐した場合、処理はステップＳ１２１に進む。ステップＳ１２１において、判定部７０は、次回の授業に必要なノート用紙Ｆ１の枚数に対して、手持ちのノート用紙Ｆ１の残枚数ΔＮが足りていることを示すメッセージを画像形成装置１００のタッチパネルに表示させる。処理は、ステップＳ１２３に進む。
【００６９】
次に、ステップＳ１２３において、判定部７０は、印刷を禁止する。具体的には、判定部７０は、印刷を実行しないことを示すメッセージをタッチパネルに表示させる。その後、処理は終了する。
【００７０】
上述したステップＳ１１９で「ＮＯ」に分岐した場合、処理はステップＳ１２５に進む。ステップＳ１２５において、印刷部３０は、指定された枚数のノート用紙Ｆ１を印刷する。具体的には、判定部７０は、印刷部３０に印刷指示を通知する。印刷部３０は、印刷指示に含まれるフォーマット識別情報、ユーザー識別情報、及び印刷枚数に対応したノート用紙Ｆ１を出力する。処理は、ステップＳ１２７に進む。
【００７１】
次に、ステップＳ１２７において、第１送信部５０は、ユーザー識別情報とフォーマット識別情報とに対応付けて、ノート用紙Ｆ１の印刷枚数情報をサーバー装置２００に送信する。その後、処理は終了する。
【００７２】
続いて、図４及び図６を参照して、印刷管理処理について説明する。ここで説明する印刷管理処理は、生徒がノート用紙Ｆ１の印刷を要求する際に、サーバー装置２００が行う処理である。図６は、図１に示すサーバー装置２００の印刷管理処理を示すフローチャートである。
【００７３】
ステップＳ２１５において、第２受信部２２０は、画像形成装置１００から送信された印刷指示を受信する。第２受信部２２０は、受信した印刷指示を集計部２４０に通知する。処理は、ステップＳ２１５Ａに進む。ステップＳ２１５は、図５を参照して説明した画像形成装置１００の印刷管理処理のステップＳ１１５に一部対応する。
【００７４】
次に、ステップＳ２１５Ａにおいて、集計部２４０は、送信された印刷指示に含まれるユーザー識別情報と、第２記憶部２６０に記憶されているユーザー識別情報とを照合する。照合の結果、印刷指示に含まれるユーザー識別情報が第２記憶部２６０に記憶されている場合（ステップＳ２１５ＡでＹＥＳ）には、印刷管理処理はステップＳ２１５Ｂに進む。一方、対応するユーザー識別情報が第２記憶部２６０に記憶されていない場合（ステップＳ２１５ＡでＮＯ）には、処理は終了する。
【００７５】
次に、ステップＳ２１５Ｂにおいて、集計部２４０は、送信された印刷指示に含まれるフォーマット識別情報と、第２記憶部２６０に記憶されているフォーマット識別情報とを照合する。照合の結果、印刷指示に含まれるユーザー識別情報が第２記憶部２６０に記憶されている場合（ステップＳ２１５ＢでＹＥＳ）には、処理はステップＳ２１７に進む。一方、対応するフォーマット識別情報が第２記憶部２６０に記憶されていない場合（ステップＳ２１５ＢでＮＯ）には、処理は終了する。
【００７６】
次に、ステップＳ２１７において、第２送信部２５０は、累計印刷枚数ＮＰ、累計読取枚数ＮＲ、基準枚数ＮＡ、及び補正枚数ＮＳを画像形成装置１００に送信する。具体的には、集計部２４０は、ユーザー識別情報及びフォーマット識別情報の両方に対応付けられた累計印刷枚数ＮＰ、累計読取枚数ＮＲ、基準枚数ＮＡ、及び補正枚数ＮＳを第２記憶部２６０から読み出す。第２送信部２５０は、読み出された累計印刷枚数ＮＰ、累計読取枚数ＮＲ、基準枚数ＮＡ、及び補正枚数ＮＳをユーザー識別情報及びフォーマット識別情報に対応付けて画像形成装置１００に送信する。印刷管理処理は、ステップＳ２２７に進む。ステップＳ２１７は、図５を参照して説明した画像形成装置１００の印刷管理処理のステップＳ１１７に一部対応する。
【００７７】
次に、ステップＳ２２７において、第２受信部２２０は、印刷枚数情報を受信したか否かを判定する。第２受信部２２０が印刷枚数情報を受信した場合（ステップＳ２２７でＹＥＳ）には、処理は、ステップＳ２２９に進む。具体的には、第２受信部２２０は、ユーザー識別情報及びフォーマット識別情報に対応付けられた印刷枚数情報を画像形成装置１００から受信する。第２受信部２２０は、受信した印刷枚数情報を集計部２４０に通知する。一方、第２受信部２２０が印刷枚数情報を受信しなかった場合（ステップＳ２２７でＮＯ）には、印刷管理処理は終了する。ステップＳ２２７は、図５を参照して説明した画像形成装置１００の印刷管理処理のステップＳ１２７に対応する。
【００７８】
次に、ステップＳ２２９において、集計部２４０は、印刷枚数を更新する。具体的には、集計部２４０は、第２受信部２２０から通知された印刷枚数情報が示す印刷枚数を、ステップＳ２１７で検出された累計印刷枚数ＮＰに加算する。集計部２４０は、加算された累計印刷枚数ＮＰを第２記憶部２６０に上書きして書き込む。その後、処理は終了する。
【００７９】
続いて、図４及び図７を参照して、印刷管理処理について説明する。ここで説明する印刷管理処理は、生徒が原稿Ｈの読取りを要求する際に、画像形成装置１００が行う処理である。図７は、画像形成装置１００の印刷管理処理を示すフローチャートである。
【００８０】
ステップＳ３０１では、図５を参照して説明したステップＳ１０１と同様の処理を実行する。処理は、ステップＳ３０３に進む。
【００８１】
次に、ステップＳ３０３において、受付部２０は、原稿Ｈの読取指示を受け付ける。具体的には、生徒は、画像形成装置１００の画像読取部１１０に原稿Ｈをセットする。生徒は、タッチパネルの「読取開始」ボタンをタッチすることによって、原稿Ｈの画像の読取指示を実行する。受付部２０は、読取指示を受け付け、読取要求を読取部４０に通知する。処理は、ステップＳ３０５に進む。
【００８２】
次に、ステップＳ３０５において、読取部４０は、原稿Ｈの画像を読み取る。具体的には、読取部４０は、読取要求に基づいて画像読取部１１０を制御し、原稿Ｈの読取画像情報を取得する。読取部４０は、読取画像情報から、ユーザー識別情報、フォーマット識別情報、及びページ識別情報を取得する。印刷管理処理は、ステップＳ３０７に進む。
【００８３】
次に、ステップＳ３０７において、第１送信部５０は、読取画像情報をサーバー装置２００に送信する。具体的には、第１送信部５０は、読取画像情報及び読取枚数情報をユーザー識別情報、フォーマット識別情報、及びページ識別情報に対応付けてサーバー装置２００に送信する。処理は、ステップＳ３１７に進む。
【００８４】
次に、ステップＳ３１７は、図５を参照して説明したステップＳ１１７と同様の処理を実行する。処理は、ステップＳ３１９に進む。
【００８５】
次に、ステップＳ３１９は、図５を参照して説明した画像形成装置１００の印刷管理処理のステップＳ１１９と同様の処理を実行する。なお、ステップＳ３１９において式（１）を満たさない場合（ステップＳ３１９でＮＯ）は、処理はステップＳ３２０に進む。一方、ステップＳ３１９の式（１）を満たす場合（ステップＳ３１９でＹＥＳ）は、処理は終了する。
【００８６】
次に、ステップＳ３２０において、判定部７０は、画像形成装置１００のタッチパネルに残枚数ΔＮが不足していることを表示させる。具体的には、判定部７０は、次回の同科目の授業に必要なノート用紙Ｆ１の基準枚数ＮＡに対して、手持ちのノート用紙Ｆ１の残枚数ΔＮが不足しているため、不足している枚数を印刷可能であることを示すメッセージをタッチパネルに表示させる。処理は、ステップＳ３２２に進む。
【００８７】
次に、ステップＳ３２２において、生徒は、タッチパネルの「印刷開始」ボタンをタッチすることによって、ノート用紙Ｆ１の印刷指示を実行する。受付部２０は、印刷指示を受け付ける。このようにして、受付部２０がノート用紙Ｆ１の印刷指示を受け付けた場合（ステップＳ３２２でＹＥＳ）、処理は、ステップＳ３２４に進む。一方、受付部２０がノート用紙Ｆ１の印刷指示を受け付けなかった場合（ステップＳ３２２でＮＯ）、処理は、ステップＳ３３０に進む。その後、処理は、ステップＳ３３０に進む。
【００８８】
次に、ステップＳ３２４において、印刷部３０は、ノート用紙Ｆ１を印刷する。具体的には、受付部２０は、判定部７０を介して印刷部３０に印刷指示を通知する。印刷部３０は、フォーマット識別情報及びユーザー識別情報に対応させて、基準枚数ＮＡに対して不足する枚数分のノート用紙Ｆ１を出力する。処理は、ステップＳ３２７に進む。
【００８９】
次に、ステップＳ３２７は、図５を参照して説明したステップＳ１１７に対応しており、同様の処理を実行する。その後、処理は終了する。
【００９０】
上述したステップＳ３２２で「ＮＯ」に分岐した場合、処理はステップＳ３３０に進む。ステップＳ３３０において、判定部７０は、ノート用紙Ｆ１の残枚数ΔＮについての修正指示を受付け可能であることを示すメッセージをタッチパネルに表示させる。生徒は、所持しているノート用紙Ｆ１の現実の残枚数ΔＮＲをタッチパネルに入力し、残枚数ΔＮの修正指示を実行する。受付部２０は、入力された現実の残枚数ΔＮＲと修正指示とを受け付け、判定部７０に現実の残枚数ΔＮＲを通知する。このようにして、受付部２０がノート用紙Ｆ１の残枚数ΔＮの修正指示を受け付けた場合（ステップＳ３３０でＹＥＳ）その後、処理は、ステップＳ３３１に進む。一方、受付部２０がノート用紙Ｆ１の残枚数ΔＮの修正指示を受け付けなかった場合（ステップＳ３３０でＮＯ）、その後、処理は終了する。
【００９１】
次に、ステップＳ３３１において、判定部７０は、通知された現実の残枚数ΔＮＲに基づいて「累計印刷枚数ＮＰ−累計読取枚数ＮＲ−現実の残枚数ΔＮＲ」の値を求める。判定部７０は、求めた値を補正枚数ＮＳとして受け付ける。処理は、ステップＳ３３３に進む。
【００９２】
次に、ステップＳ３３３において、第１送信部５０は、受け付けられた補正枚数ＮＳをユーザー識別情報とフォーマット識別情報とに対応付けてサーバー装置２００に送信する。その後、処理は終了する。
【００９３】
続いて、図４及び図８を参照して、印刷管理処理について説明する。ここで説明する印刷管理処理は、生徒がノート用紙Ｆ１の印刷を要求する際に、サーバー装置２００が行う処理である。図８は、図１に示すサーバー装置２００の印刷管理処理を示すフローチャートである。
【００９４】
ステップＳ４０７において、第２受信部２２０は、読取画像情報を受信する。具体的には、第２受信部２２０は、ユーザー識別情報、フォーマット識別情報、及びページ識別情報に対応付けられた読取画像情報及び読取枚数情報を画像形成装置１００から受信し、集計部２４０に通知する。処理は、ステップＳ４０７Ａに進む。ステップＳ４０７は、図７を参照して説明した画像形成装置１００の印刷管理処理のステップＳ３０７に一部対応する。
【００９５】
次に、ステップＳ４０７Ａにおいて、集計部２４０は、送信されたユーザー識別情報と、第２記憶部２６０に記憶されているユーザー識別情報とを照合する。これにより、集計部２４０は、対応するユーザー識別情報が第２記憶部２６０に記憶されているか否かを判定する。対応するユーザー識別情報が第２記憶部２６０に記憶されている場合（ステップＳ４０７ＡでＹＥＳ）には、処理はステップＳ４０７Ｂに進む。一方、対応するユーザー識別情報が第２記憶部２６０に記憶されていない場合（ステップＳ４０７ＡでＮＯ）、処理は、ステップＳ４０９に進む。
【００９６】
上述したステップＳ４０７Ａで「ＹＥＳ」に分岐した場合、処理はステップＳ４０７Ｂに進む。ステップＳ４０７Ｂにおいて、集計部２４０は、送信されたフォーマット識別情報と、第２記憶部２６０に記憶されているフォーマット識別情報とを照合する。これにより、集計部２４０は、対応するフォーマット識別情報が第２記憶部２６０に記憶されているか否かを判定する。対応するフォーマット識別情報が第２記憶部２６０に記憶されている場合（ステップＳ４０７ＢでＹＥＳ）には、処理はステップＳ４０７Ｃに進む。一方、対応するフォーマット識別情報が第２記憶部２６０に記憶されていない場合（ステップＳ４０７ＢでＮＯ）には、処理は、ステップＳ４０９に進む。
【００９７】
上述したステップＳ４０７Ｂで「ＹＥＳ」に分岐した場合、処理はステップＳ４０７Ｃに進む。ステップＳ４０７Ｃにおいて、集計部２４０は、送信されたページ識別情報と、第２記憶部２６０に記憶されているページ識別情報とを照合する。これにより、集計部２４０は、対応するページ識別情報が第２記憶部２６０に記憶されているか否かを判定する。対応するページ識別情報が第２記憶部２６０に記憶されている場合（ステップＳ４０７ＣでＹＥＳ）には、処理はステップＳ４０８に進む。一方、対応するページ識別情報が第２記憶部２６０に記憶されていない場合（ステップＳ４０７ＣでＮＯ）には、処理は、ステップＳ４０９に進む。
【００９８】
上述したステップＳ４０７Ｃで「ＹＥＳ」に分岐した場合、処理はステップＳ４０８に進む。ステップＳ４０８において、原稿画像記録部２３０は、読取画像情報を上書き保存する。具体的には、原稿画像記録部２３０は、第２記憶部２６０から検出されたユーザー識別情報、フォーマット識別情報、及びページ識別情報に対応付けられた読取画像情報に、送信された読取画像情報を上書きして書き込む。印刷管理処理は、ステップＳ４１０に進む。
【００９９】
上述したステップＳ４０７Ａ、Ｓ４０７Ｂ、及びＳ４０７Ｃで「ＮＯ」に分岐した場合、処理はステップＳ４０９に進む。ステップＳ４０９において、原稿画像記録部２３０は、読取画像情報を第２記憶部２６０に保存する。具体的には、原稿画像記録部２３０は、対応する読取画像情報が第２記憶部２６０に記憶されていないため、読取画像情報をユーザー識別情報、フォーマット識別情報、及びページ識別情報に対応付けて第２記憶部２６０に新規に書き込む。原稿画像記録部２３０は、書込み結果を集計部２４０に通知する。処理は、ステップＳ４１０に進む。
【０１００】
次に、ステップＳ４１０において、集計部２４０は、第２受信部２２０から通知された読取枚数情報が示す読取枚数を、累計読取枚数ＮＲに加算する。集計部２４０は、加算された累計読取枚数ＮＲを第２記憶部２６０に上書きして書き込む。これにより、集計部２４０は、読取枚数を更新する。処理は、ステップＳ４１７に進む。
【０１０１】
次に、ステップＳ４１７は、図６を参照して説明したステップＳ２１７と同様の処理を実行する。処理は、ステップＳ４２７に進む。
【０１０２】
次に、ステップＳ４２７は、図６を参照して説明したステップＳ２２７と同様の処理を実行する。ステップＳ４２７において、第２受信部２２０は印刷枚数情報を受信したか否かを判定する。第２受信部２２０が印刷枚数情報を受信した場合（ステップＳ４２７でＹＥＳ）には、処理は、ステップＳ４２９に進む。一方、第２受信部２２０が印刷枚数情報を受信しなかった場合（ステップＳ４２７でＮＯ）には、その後、処理は終了する。
【０１０３】
次に、ステップＳ４２９は、図６を参照して説明したステップＳ２２９と同様の処理を実行する。その後、処理は終了する。
【０１０４】
以上、図１から図８を参照して説明したように、本実施形態によれば、印刷部３０は、ユーザー識別情報に対応付けられたフォーマット紙Ｆを印刷する。受付部２０が印刷要求又は読取要求を受け付けた場合に、画像形成装置１００の第１受信部６０は、ユーザー識別情報毎に累計した累計印刷枚数ＮＰ及び累計読取枚数ＮＲをサーバー装置２００から受信する。判定部７０は、累計印刷枚数ＮＰと累計読取枚数ＮＲとに基づいて、フォーマット紙Ｆを印刷するか否かを判定する。例えば、累計印刷枚数ＮＰから累計読取枚数ＮＲを減じた差は残枚数に対応する。従って、各ユーザーの手元に残っているフォーマット紙Ｆの枚数に応じて、フォーマット紙Ｆを余分に印刷することを抑制することができる。
【０１０５】
さらに、本実施形態によれば、印刷部３０は、フォーマット識別情報に更に対応付けられたフォーマット紙Ｆを印刷する。集計部２４０は、フォーマット識別情報毎に、累計印刷枚数ＮＰ及び累計読取枚数ＮＲを求める。従って、フォーマット紙Ｆの種類毎に、フォーマット紙Ｆを余分に印刷することを抑制することができる。
【０１０６】
さらに、本実施形態によれば、サーバー装置２００の第２記憶部２６０は、ユーザー識別情報及びフォーマット識別情報に対応付けて予め設定された基準枚数ＮＡを更に記憶する。判定部７０は、累計印刷枚数ＮＰから累計読取枚数ＮＲを減じた残枚数が、基準枚数ＮＡ以上である場合に、フォーマット紙Ｆを印刷しないと判定する。従って、各ユーザーの手元に残っているフォーマット紙Ｆの枚数が所定の基準枚数ＮＡ以上である場合に、フォーマット紙Ｆを余分に印刷することを抑制することが可能となる。例えば、「フォーマット紙Ｆが○○枚残っているので印刷する必要はありません」とのガイダンスを出力することによって、フォーマット紙Ｆを余分に印刷することを抑制することができる。
【０１０７】
さらに、本実施形態によれば、集計部２４０は、ユーザー識別情報及びフォーマット識別情報毎に平均読取枚数ＮＶを求める。集計部２４０は、平均読取枚数ＮＶを基準枚数ＮＡとしてサーバー装置２００の第２記憶部２６０に書き込む。従って、生徒の読取枚数の平均値に基づいて、手持ち枚数を適正な枚数とすることができる。
【０１０８】
さらに、本実施形態によれば、原稿画像記録部２３０は、読取画像情報をユーザー識別情報及びフォーマット識別情報に対応付けて第２記憶部２６０に書き込む。これにより、第２記憶部２６０に読取画像が格納される。従って、教師又は生徒の親は、パーソナルコンピューター等によってサーバー装置２００にアクセスし、取得した読取画像を目視することが可能となる。その結果、ユーザー（教師及び生徒の親）の利便性を向上させることができる。
【０１０９】
さらに、本実施形態によれば、原稿画像記録部２３０は、読取画像情報をページ識別情報に更に対応付けて第２記憶部２６０に書き込む。原稿画像記録部２３０は、ユーザー識別情報とフォーマット識別情報とページ識別情報とが全て一致する場合に、原稿Ｈの画像データを上書きする。従って、最新の画像データのみをサーバー装置２００の第２記憶部２６０に残すことができる。また、累計読取枚数ＮＲを正確に求めることができる。
【０１１０】
続いて、図４及び図９を参照して、画像閲覧処理について説明する。ここで説明する画像閲覧処理は、生徒がノート用紙Ｆ１の画像の閲覧を要求する際に、タブレットＰＣ３００が実行する処理である。図９は、タブレットＰＣ３００の画像閲覧処理を示すフローチャートである。
【０１１１】
ステップＳ５３５において、生徒又は教師の操作に応じて、第３送信部３２０は、ユーザー識別情報及びフォーマット識別情報に対応付けて、画像要求情報をサーバー装置２００に送信する。処理は、ステップＳ５３７に進む。
【０１１２】
次に、ステップＳ５３７において、第３受信部３３０が読取画像情報を受信したか否かを判定する。具体的には、第３受信部３３０は、画像要求情報に応じてサーバー装置２００から送信される読取画像情報を受信する。第３受信部３３０は、第３記憶部３５０に読取画像情報を記憶させる。このようにして、第３受信部３３０が読取画像情報を受信した場合（ステップＳ５３７でＹＥＳ）には、処理はステップＳ５３９に進む。一方、第３受信部３３０が読取画像情報を受信しなかった場合（ステップＳ５３７でＮＯ）には、その後、処理は終了する。
【０１１３】
次に、ステップＳ５３９において、表示部３４０は、読取画像情報に対応する読取画像をタッチパネルに表示する。その後、処理は終了する。
【０１１４】
続いて、図４及び図１０を参照して、画像閲覧処理について説明する。ここで説明する画像閲覧処理は、生徒がノート用紙Ｆ１の画像の閲覧を要求する際に、サーバー装置２００が行う処理である。図１０は、サーバー装置２００の画像閲覧処理を示すフローチャートである。
【０１１５】
ステップＳ６３５において、第２受信部２２０は、ユーザー識別情報とフォーマット識別情報とに対応付けられた画像要求情報をタブレットＰＣ３００から受信する。処理は、ステップＳ５３７に進む。ステップＳ６３５は、図９を参照して説明したタブレットＰＣ３００の画像閲覧処理のステップＳ５３５に一部対応している。
【０１１６】
次に、ステップＳ６３５Ａにおいて、集計部２４０は、受信されたユーザー識別情報と、第２記憶部２６０に記憶されているユーザー識別情報とを照合する。これにより、集計部２４０は、対応するユーザー識別情報が第２記憶部２６０に記憶されているか否かを判定する。対応するユーザー識別情報が第２記憶部２６０に記憶されている場合（ステップＳ６３５ＡでＹＥＳ）には、処理はステップＳ６３５Ｂに進む。一方、対応するユーザー識別情報が第２記憶部２６０に記憶されていない場合（ステップＳ６３５ＡでＮＯ）には、その後、処理は終了する。
【０１１７】
次に、ステップＳ６３５Ｂにおいて、集計部２４０は、受信されたフォーマット識別情報と、第２記憶部２６０に記憶されているフォーマット識別情報とを照合する。これにより、集計部２４０は、対応するフォーマット識別情報が第２記憶部２６０に記憶されているか否かを判定する。対応するフォーマット識別情報が第２記憶部２６０に記憶されている場合（ステップＳ６３５ＢでＹＥＳ）には、処理はステップＳ６３７に進む。一方、対応するフォーマット識別情報が第２記憶部２６０に記憶されていない場合（ステップＳ６３５ＢでＮＯ）には、処理は終了する。
【０１１８】
次に、ステップＳ６３７において、集計部２４０は、ユーザー識別情報及びフォーマット識別情報に対応付けられた読取画像情報を第２記憶部２６０から読み出す。第２送信部２５０は、読み出された読取画像情報をタブレットＰＣ３００に送信する。その後、処理は終了する。
【０１１９】
以上、図１〜図１０を参照して説明したように、印刷管理システム１は、サーバー装置２００に通信可能に接続されたタブレットＰＣ３００を更に備える。タブレットＰＣ３００は、画像要求情報に応じてサーバー装置２００から送信される読取画像情報を受信する。従って、ユーザーは、フォーマット紙Ｆに書き込んだ内容をタブレットＰＣ３００で容易に確認することができる。
【０１２０】
以上、図面（図１〜図１０）を参照しながら本発明の実施形態を説明した。但し、本発明は、上記の実施形態に限られるものではなく、その要旨を逸脱しない範囲で種々の態様において実施することが可能である（例えば、下記に示す（１）〜（１２））。また、上記の各実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の形状、寸法等は一例であって、特に限定されるものではなく、本発明の構成から実質的に逸脱しない範囲で種々の変更が可能である。
【０１２１】
（１）図３及び図４を参照して説明したフォーマット画像ＧＦ１を含む複数のフォーマット画像は、第１記憶部８０に予め記憶されていたが、本発明はこれに限られない。複数のフォーマット画像は、例えば、サーバー装置２００の第２記憶部２６０に記憶されていてもよい。
【０１２２】
（２）図４を参照して説明したノート用紙Ｆ１の補正枚数ＮＳは、生徒の手持ちのノート用紙Ｆ１の残枚数に所定枚数の余裕を持たせるために設定されていたが、本発明はこれに限られない。例えば、生徒に授業２回分に必要な枚数を所持させるために補正枚数ＮＳを設定することもできる。さらに、所定回数の授業が所定期間に実施される実施形態では、授業の所定回数を予め登録しておき、未実施の授業の回数に応じて補正枚数ＮＳを設定することもできる。例えば、上述のように生徒に授業２回分に必要な枚数を所持させるために補正枚数ＮＳが設定され、未実施の授業の回数が１回になった場合に、補正枚数ＮＳを「０」に変更することもできる。
【０１２３】
（３）図１〜図４を参照して説明した、ユーザー識別情報、フォーマット識別情報、ページ識別情報、読取画像情報、累計印刷枚数ＮＰ、累計読取枚数ＮＲ、補正枚数ＮＳ、平均読取枚数ＮＶ、読取回数ＮＥ、及び基準枚数ＮＡは、第２記憶部２６０に記憶されていたが、本発明はこれに限られない。例えば、印刷管理システム１が備える画像形成装置１００の個数が１台である実施形態では、画像形成装置１００は、サーバー装置２００が備える集計部２４０及び第２記憶部２６０の各機能を備えることができる。これにより、サーバー装置２００の台数を省略できる。このような実施形態において、タブレットＰＣ３００は、画像形成装置１００と通信可能に接続される。
【０１２４】
（４）図４〜図１０を参照して説明したように、生徒は、印刷要求時又は読取要求時に、手持ちのノート用紙Ｆ１の残枚数ΔＮ（「累計印刷枚数ＮＰ」−「累計読取枚数ＮＲ」＋「補正枚数ＮＳ」）を補正枚数ＮＳに基づいて修正することができたが、本発明はこれに限られない。生徒又は教師は、印刷要求時又は読取要求時に限らず、残枚数ΔＮの値を修正することができる。例えば、残枚数ΔＮが現実の手持ちのノート用紙Ｆ１の残枚数ΔＮＲと異なっている場合、生徒又は教師は、画像形成装置１００のタッチパネル又はタブレットＰＣ３００のタッチパネルを操作することによって、残枚数ΔＮの値を現実の残枚数ΔＮＲの値に修正することができる。従って、生徒がノート用紙Ｆ１を破損、汚損、又は紛失した場合に、サーバー装置２００が管理する残枚数ΔＮの値に誤差が生じることを抑制することができる。
【０１２５】
（５）図４〜図８を参照して説明した画像形成装置１００の判定部７０は、サーバー装置２００から累計印刷枚数ＮＰと累計読取枚数ＮＲとを受信し、累計印刷枚数ＮＰから累計読取枚数ＮＲを差し引くことによって、手持ちのノート用紙Ｆ１の残枚数を求めていたが、本発明はこれに限られない。例えば、サーバー装置２００の第２記憶部２６０、又は画像形成装置１００の第１記憶部８０に、手持ちのノート用紙Ｆ１の残枚数（累計印刷枚数ＮＰ−累計読取枚数ＮＲ）を記憶させておくこともできる。この場合には、記憶部に記憶された残枚数を読み出すことによって、残枚数を求めることができる。
【０１２６】
（６）図４及び図５を参照して説明した画像形成装置１００の判定部７０は、ノート用紙Ｆ１を印刷する必要がないと判定した場合には、タッチパネルにメッセージを表示させた後、印刷を禁止していたが、本発明はこれに限られない。判定部７０は、例えば、タッチパネルにメッセージを表示させた後、指定された枚数のノート用紙Ｆ１を印刷させることもできる。また、判定部７０は、タッチパネルにメッセージを表示させた後、指定された枚数のノート用紙Ｆ１を印刷させ、印刷させた枚数を教師に電子メールで通知することもできる。また、判定部７０は、タッチパネルにメッセージを表示させた後、生徒による印刷を禁止し、教師が印刷して生徒にノート用紙Ｆ１を渡すことを許可することもできる。
【０１２７】
（７）図４及び図７を参照して説明したサーバー装置２００の集計部２４０は、ユーザー識別情報、フォーマット識別情報、及びページ識別情報に基づいて、同一ページの読取画像情報が第２記憶部２６０に記憶されているか否かを照合していたが、本発明はこれに限られない。例えば、読取画像情報が示す読取画像を画像処理することによって、部分的に一致する読取画像情報の有無を確認することもできる。このようにして、同一ページの読取画像情報が第２記憶部２６０に記憶されているか否かを照合することもできる。
【０１２８】
（８）図４及び図７を参照して説明した画像形成装置１００の判定部７０は、手持ちノート用紙Ｆ１の残枚数ΔＮが不足していることを示すメッセージをタッチパネルに表示させ、生徒に印刷の要否を確認していたが、本発明はこれに限られない。例えば、判定部７０は、手持ちノート用紙Ｆ１の残枚数ΔＮが不足していることを示すメッセージをタッチパネルに表示させると共に、「累計印刷枚数ＮＰ−累計読取枚数ＮＲ＋補正枚数ＮＳ」と「基準枚数ＮＡ」との差分の枚数を印刷するように、印刷部３０を制御することもできる。
【０１２９】
（９）図４及び図７を参照して説明した画像形成装置１００の判定部７０は、手持ちノート用紙Ｆ１の残枚数ΔＮが不足していることを示すメッセージを画像形成装置１００のタッチパネルに表示させていたが、本発明はこれに限られない。例えば、判定部７０は、生徒又は教師のタブレットＰＣ３００に電子メールを送信し、タブレットＰＣ３００のタッチパネルにメッセージを表示させることもできる。また、判定部７０は、予め登録されている生徒又は教師のタブレットＰＣ３００の電子メールアドレスにメッセージを送信することもできる。
【０１３０】
（１０）図７を参照して説明した画像形成装置１００の受付部２０は、ノート用紙Ｆ１の残枚数ΔＮに対する修正指示を受け付けなかった場合（ステップＳ３３０で「ＮＯ」）、印刷管理処理を終了していたが、本発明はこれに限られない。例えば、次回の授業が開始されるまでの間に、生徒が不足枚数を印刷せず、さらに残枚数ΔＮを修正しない場合に、予め登録された生徒又は教師の電子メールアドレスに、ノート用紙Ｆ１の残枚数ΔＮが不足していることを示すメッセージを送信することもできる。また、次回の授業が開始されるまでの間に、生徒が不足枚数を印刷せず、さらに残枚数ΔＮを修正しない場合に、所定の画像形成装置１００のタッチパネルで、残枚数ΔＮが不足している生徒名の一覧を表示させたり、画像形成装置１００のタッチパネルに設けられたＬＥＤを点滅させることもできる。
【０１３１】
（１１）図１に示した印刷管理システム１は複数の画像形成装置１００を備えていたが、本発明はこれに限られない。印刷管理システム１が、画像形成装置１００を１台のみ備えている形態でもよい。
【０１３２】
（１２）図３及び図４を参照して説明したように、フォーマット画像ＧＦ１を含む複数のフォーマット画像は、画像形成装置１００の第１記憶部８０に予め記憶されていたが、本発明はこれに限られない。例えば、フォーマット画像ＧＦ１を含む複数のフォーマット画像は、サーバー装置２００の第２記憶部２６０に予め記憶されていてもよい。
【産業上の利用可能性】
【０１３３】
本発明は、印刷管理システム及び画像形成装置の分野に利用可能である。
【符号の説明】
【０１３４】
１      印刷管理システム
２０    受付部
３０    印刷部
４０    読取部
５０    第１送信部
６０    第１受信部
７０    判定部
１００  画像形成装置
２００  サーバー装置
２２０  第２受信部
２３０  原稿画像記録部
２４０  集計部
２５０  第２送信部
２６０  第２記憶部（記憶部）
３００  タブレットＰＣ（端末装置）
３１０  第３制御部
３２０  第３送信部
３３０  第３受信部
３４０  表示部
Ｆ      フォーマット紙
Ｇ１、Ｇ２  印刷用画像
ＧＤＦ  フォーマット識別画像
ＧＦ１、ＧＦ２  フォーマット画像
ＧＰ    ページ識別画像
ＧＵ    ユーザー識別画像
Ｈ      原稿
Ｓ      シート
【図１】
0006299678.tif 000002
【図２】
0006299678.tif 000003
【図３】
0006299678.tif 000004
【図４】
0006299678.tif 000005
【図５】
0006299678.tif 000006
【図６】
0006299678.tif 000007
【図７】
0006299678.tif 000008
【図８】
0006299678.tif 000009
【図９】
0006299678.tif 000010
【図１０】
0006299678.tif 000011